(57)【要約】【課題】サブバンド信号のスプリアス特性を改善する。【解決手段】発振信号を生成する発振部１０と、発振信号に基づいて、それぞれ周波数が異なる複数のサブバンド信号を生成する複数のサブバンド信号生成部２０と、複数のサブバンド信号から選択されたサブバンド信号を出力する出力部３０と、出力部３０が出力するサブバンド信号を選択するとともに、当該選択の結果に基づいて、複数のサブバンド信号生成部２０が有する複数の回路の動作モードを制御する制御部４０と、を備える。【選択図】図１
2015053577.tif 000002
【特許請求の範囲】
【請求項１】
発振信号を生成する発振部と、
前記発振信号に基づいて、それぞれ周波数が異なる複数のサブバンド信号を生成する複数のサブバンド信号生成部と、
前記複数のサブバンド信号のいずれか１つのサブバンド信号を出力する出力部と、
前記出力部が出力する前記サブバンド信号を選択するとともに、当該選択の結果に基づいて、前記複数のサブバンド信号生成部が有する複数の回路の動作モードを制御する制御部と、
を備える発振器。
【請求項２】
前記複数のサブバンド信号を特定する信号特定情報と、前記複数のサブバンド信号生成部の動作モードを示す動作モード情報とを関連付けた制御情報を記憶する記憶部をさらに備え、
前記制御部は、前記記憶部に記憶された前記制御情報に基づいて、前記動作モードを制御する、
請求項１に記載の発振器。
【請求項３】
前記複数のサブバンド信号生成部のそれぞれは、少なくとも１つの能動素子と、前記能動素子の後段に設けられた切替器と、を有し、
前記切替器は、入力側を出力側に接続するオンモード又は入力側をグランドに接続するオフモードで動作し、
前記制御部は、選択した前記サブバンド信号を生成するサブバンド信号生成部が有する前記切替器をオンモードに設定するとともに、前記サブバンド信号生成部と異なる少なくとも１つのサブバンド信号生成部に設けられた前記切替器をオンモードに設定する、
請求項１又は２に記載の発振器。
【請求項４】
前記制御部は、選択した前記サブバンド信号を生成するサブバンド信号生成部が有する前記能動素子を動作させるとともに、前記サブバンド信号生成部と異なる前記複数のサブバンド信号生成部に設けられた前記能動素子の動作を停止させる、
請求項３に記載の発振器。
【請求項５】
前記制御部は、前記複数のサブバンド信号生成部が出力する前記サブバンド信号の周波数を決定するとともに、決定された前記サブバンド信号の周波数に基づいて、前記前記複数のサブバンド信号生成部が有する複数の回路の動作モードを制御する、
請求項１から４のいずれか１項に記載の発振器。
【請求項６】
発振信号を生成する発振部と、
前記発振信号に基づいて、それぞれ周波数が異なる複数のサブバンド信号を生成する複数のサブバンド信号生成部と、
前記複数のサブバンド信号のいずれか１つのサブバンド信号を出力する出力部と、
を備える発振器を製造する方法であって、
前記複数のサブバンド信号からサブバンド信号を選択する第１選択工程と、
前記複数のサブバンド信号生成部が有する複数の回路の動作モードを選択する第２選択工程と、
前記第１選択工程において選択した前記サブバンド信号を、前記第２選択工程において選択した前記動作モードにおいて前記出力部から出力させる出力工程と、
前記出力工程において出力される前記サブバンド信号の特性を測定する測定工程と、
前記第２選択工程、前記出力工程及び前記測定工程を繰り返して、複数の前記測定工程において測定された前記特性に基づいて、前記第１選択工程において選択した前記サブバンド信号に対応する前記動作モードを決定する決定工程と、
を備える、発振器の製造方法。
【請求項７】
前記決定工程において決定した前記動作モードを、前記サブバンド信号に関連付けて、前記発振器が備える記憶部に記憶させる記憶工程をさらに備える、
請求項６に記載の発振器の製造方法。
【発明の詳細な説明】
【技術分野】
【０００１】
本発明は、発振器及び発振器の製造方法に関する。
【背景技術】
【０００２】
従来、発振信号を分周したり逓倍したりすることにより、それぞれ周波数が異なる複数のサブバンド信号を生成し、複数のサブバンド信号のいずれか１つを出力する発振器が知られている（例えば、特許文献１を参照）。従来の発振器においては、出力する対象となるサブバンド信号以外の全てのサブバンド信号を生成する回路を出力側に接続しないようにすることで、所望のサブバンド信号のみが出力される。
【先行技術文献】
【特許文献】
【０００３】
【特許文献１】特開２００５−１７５６９８号公報
【発明の概要】
【発明が解決しようとする課題】
【０００４】
ところで、ＧＨｚ帯の高周波信号の回路においては、配線の終端が開放状態になっていると高周波信号成分が反射し、スプリアスノイズが生じる。そこで、出力対象でないサブバンド信号を生成する回路の終端を、例えば５０Ωの終端抵抗を介してグランドに接続することにより、スプリアスノイズの発生を防いでいる。
【０００５】
しかしながら、出力対象でないサブバンド信号を生成する回路が終端抵抗を介してグランドに接続されると、出力対象でないサブバンド信号が、グランドや空間を経由して、出力対象のサブバンド信号を生成する回路に回り込むことがある。その結果、出力対象となるサブバンド信号のスプリアス特性が悪化する場合があるという問題が生じていた。
【０００６】
そこで、本発明はこれらの点に鑑みてなされたものであり、複数のサブバンド信号を切り替えて使用することができる発振器が出力するサブバンド信号のスプリアス特性を改善することを目的とする。
【課題を解決するための手段】
【０００７】
本発明の第１の態様に係る発振器は、発振信号を生成する発振部と、前記発振信号に基づいて、それぞれ周波数が異なる複数のサブバンド信号を生成する複数のサブバンド信号生成部と、前記複数のサブバンド信号のいずれか１つのサブバンド信号を出力する出力部と、前記出力部が出力する前記サブバンド信号を選択するとともに、当該選択の結果に基づいて、前記複数のサブバンド信号生成部が有する複数の回路の動作モードを制御する制御部と、を備える。
【０００８】
上記の発振器は、前記複数のサブバンド信号を特定する信号特定情報と、前記複数のサブバンド信号生成部の動作モードを示す動作モード情報とを関連付けた制御情報を記憶する記憶部をさらに備え、前記制御部は、前記記憶部に記憶された前記制御情報に基づいて、前記動作モードを制御してもよい。
【０００９】
前記複数のサブバンド信号生成部のそれぞれは、少なくとも１つの能動素子と、前記能動素子の後段に設けられた切替器と、を有し、前記切替器は、入力側を出力側に接続するオンモード又は入力側をグランドに接続するオフモードで動作し、前記制御部は、選択した前記サブバンド信号を生成するサブバンド信号生成部が有する前記切替器をオンモードに設定するとともに、前記サブバンド信号生成部と異なる少なくとも１つのサブバンド信号生成部に設けられた前記切替器をオンモードに設定してもよい。
【００１０】
前記制御部は、選択した前記サブバンド信号を生成するサブバンド信号生成部が有する前記能動素子を動作させるとともに、前記サブバンド信号生成部と異なる前記複数のサブバンド信号生成部に設けられた前記能動素子の動作を停止させてもよい。
【００１１】
また、前記制御部は、前記複数のサブバンド信号生成部が出力する前記サブバンド信号の周波数を決定するとともに、決定された前記サブバンド信号の周波数に基づいて、前記複数のサブバンド信号生成部が有する複数の回路の動作モードを制御してもよい。
【００１２】
本発明の第２の態様に係る発振器の製造方法は、発振信号を生成する発振部と、前記発振信号に基づいて、それぞれ周波数が異なる複数のサブバンド信号を生成する複数のサブバンド信号生成部と、前記複数のサブバンド信号のいずれか１つのサブバンド信号を出力する出力部と、を備える発振器を製造する方法であって、前記複数のサブバンド信号からサブバンド信号を選択する第１選択工程と、前記複数のサブバンド信号生成部が有する複数の回路の動作モードを選択する第２選択工程と、前記第１選択工程において選択した前記サブバンド信号を、前記第２選択工程において選択した前記動作モードにおいて前記出力部から出力させる出力工程と、前記出力工程において出力される前記サブバンド信号の特性を測定する測定工程と、前記第２選択工程、前記出力工程及び前記測定工程を繰り返して、複数の前記測定工程において測定された前記特性に基づいて、前記第１選択工程において選択した前記サブバンド信号に対応する最適な前記動作モードを決定する決定工程と、を備える。
【００１３】
上記の製造方法は、前記決定工程において決定した前記動作モードを、前記サブバンド信号に関連付けて、前記発振器が備える記憶部に記憶させる記憶工程をさらに備えてもよい。
【発明の効果】
【００１４】
本発明によれば、複数のサブバンド信号を切り替えて使用することができる発振器が出力するサブバンド信号のスプリアス特性を改善できるという効果を奏する。
【図面の簡単な説明】
【００１５】
【図１】第１の実施形態に係る発振器の構成を示す図である。
【図２】切替器制御テーブルの一例を示す図である。
【図３】能動素子制御テーブルの一例を示す図である。
【図４】発振器の製造方法を示すフローチャートである。
【図５】第２の実施形態に係る発振器の構成を示す図である。
【図６】切替器制御テーブルの一例を示す図である。
【図７】能動素子制御テーブルの一例を示す図である。
【図８Ａ】１７ＧＨｚのサブバンド信号を出力させる場合の出力信号の特性を示す図である（本発明実施前）。
【図８Ｂ】１７ＧＨｚのサブバンド信号を出力させる場合の出力信号の特性を示す図である（本発明実施後）。
【図９Ａ】１７ＧＨｚのサブバンド信号を出力させる場合の出力信号の特性を示す図である（本発明実施前）。
【図９Ｂ】１７ＧＨｚのサブバンド信号を出力させる場合の出力信号の特性を示す図である（本発明実施後）。
【発明を実施するための形態】
【００１６】
＜第１の実施形態＞
［発振器１の構成と動作］
図１は、第１の実施形態に係る発振器１の構成を示す図である。
発振器１は、発振部１０、分配器１１、分配器１２、複数のサブバンド信号生成部２０（サブバンド信号生成部２０−１、サブバンド信号生成部２０−２及びサブバンド信号生成部２０−３）、切替器２４、切替器２５、出力部３０、制御部４０及び記憶部５０を備える。
【００１７】
発振部１０は、発振信号を生成する。発振部１０は、例えば、位相同期回路及び電圧制御発振器を有する。発振部１０は、制御部４０から入力された設定値に応じた周波数の発振信号を生成する。発振部１０は、制御部４０の制御に応じて、例えば、４．５ＧＨｚ〜９ＧＨｚの間の周波数帯域において１００ＫＨｚ間隔の周波数を生成することができる。発振部１０が生成した発振信号は、分配器１１又は分配器１２を介して、サブバンド信号生成部２０−１、サブバンド信号生成部２０−２及びサブバンド信号生成部２０−３に入力される。
【００１８】
分配器１１及び分配器１２は、入力された信号を複数の経路に分配する。具体的には、分配器１１は、発振部１０から入力される発振信号を、分配器１２とサブバンド信号生成部２０−１とに分配する。分配器１２は、分配器１１から入力される信号を、サブバンド信号生成部２０−２とサブバンド信号生成部２０−３とに分配する。
【００１９】
複数のサブバンド信号生成部２０は、発振部１０が生成した発振信号に基づいて、それぞれ周波数が異なる複数のサブバンド信号を生成する。複数のサブバンド信号生成部２０のそれぞれは、少なくとも１つの能動素子と、能動素子の後段に設けられた切替器と、を有する。能動素子は、例えば、増幅器、減衰器、逓倍器又は分周器である。複数のサブバンド信号生成部２０のそれぞれに設けられた切替器は、入力側を出力側に接続するオンモード又は入力側をグランドに接続するオフモードで動作する。切替器は、オフモード時に、例えば５０Ωの終端抵抗を介して、入力側をグランドに接続する。切替器は、例えば複数のトランジスタにより構成されるスイッチである。
【００２０】
サブバンド信号生成部２０−１は、逓倍器２１１及び切替器２１２を有し、分配器１１を介して入力を受ける発振信号を逓倍器２１１で逓倍することで、第１周波数の信号（以下、第１サブバンド信号）を生成する。逓倍器２１１は、制御部４０から入力される制御信号ＣＴ２−１に基づいて、イネーブルモードとディセーブルモードとを切り替える。逓倍器２１１は、例えばＣＴ２−１がハイレベルの論理値の場合にイネーブルモードになり、ＣＴ２−１がロウレベルの論理値の場合にディセーブルモードになる。逓倍器２１１は、イネーブルモードにおいて、入力された発振信号を逓倍し、ディセーブルモードにおいて、入力された発振信号を逓倍せず、第１サブバンド信号を出力しない。
【００２１】
切替器２１２は、制御部４０から入力される制御信号ＣＴ１−１に基づいて、オンモードで動作するかオフモードで動作するかを切り替える。具体的には、切替器２１２は、制御信号ＣＴ１−１がハイレベルの場合に、入力側を出力側に接続することにより、逓倍器２１１から入力された第１サブバンド信号を切替器２５に入力する。切替器２１２は、制御信号ＣＴ１−１がロウレベルの場合に、入力側を、終端抵抗を介してグランドに接続する。
【００２２】
サブバンド信号生成部２０−２は、増幅器２２１及び切替器２２２を有し、分配器１１及び分配器１２を介して入力を受ける発振信号を増幅器２２１で増幅した第２周波数の信号（以下、第２サブバンド信号）を生成する。増幅器２２１は、制御部４０から入力される制御信号ＣＴ２−２がハイレベルの論理値の場合にイネーブルモードになり、入力される発振信号を増幅し、制御信号ＣＴ２−２がロウレベルの論理値の場合にディセーブルモードになり、入力される発振信号を増幅しない。
【００２３】
切替器２２２は、制御部４０から入力される制御信号ＣＴ１−２がハイレベルの場合にオンモードとなり、入力側を出力側に接続することにより、増幅器２２１から入力された第２サブバンド信号を切替器２４に入力する。切替器２２２は、制御信号ＣＴ１−２がロウレベルの場合にオフモードとなり、入力側を、終端抵抗を介してグランドに接続する。
【００２４】
サブバンド信号生成部２０−３は、分周器２３１、増幅器２３２及び切替器２３３を有し、分配器１１及び分配器１２を介して入力を受ける発振信号を分周器２３１で分周した第３周波数の信号（以下、第３サブバンド信号）を生成する。分周器２３１が生成した第３サブバンド信号は、増幅器２３２において増幅される。増幅器２３２は、制御部４０から入力される制御信号ＣＴ２−３がハイレベルの論理値の場合にイネーブルモードになり、制御信号ＣＴ２−３がロウレベルの論理値の場合にディセーブルモードになる。
【００２５】
切替器２３３は、制御部４０から入力される制御信号ＣＴ１−３がハイレベルの場合にオンモードとなり、入力側を出力側に接続することにより、増幅器２３２から入力された第３サブバンド信号を切替器２４に入力する。切替器２３３は、制御信号ＣＴ１−３がロウレベルの場合にオフモードとなり、入力側を、終端抵抗を介してグランドに接続する。
【００２６】
切替器２４は、制御部４０から入力される制御信号ＣＴ１−４に基づいて、切替器２２２又は切替器２３３に接続されている２つの入力側のうち、どちらの入力側を出力側に接続するかを切り替える。具体的には、切替器２４は、制御信号ＣＴ１−４がハイレベルの場合に、切替器２２２から出力された第２サブバンド信号を切替器２５に入力し、制御信号ＣＴ１−４がロウレベルの場合に、切替器２３３から出力された第３サブバンド信号を切替器２５に入力する。
【００２７】
切替器２５は、切替器２４と同等のスイッチであり、制御部４０から入力される制御信号ＣＴ１−５に基づいて、切替器２１２又は切替器２４に接続されている２つの入力側のうち、どちらの入力側を出力側に接続するかを切り替える。具体的には、切替器２４は、制御信号ＣＴ１−５がハイレベルの場合に、切替器２１２から出力された第１周波数の信号を出力部３０に入力し、制御信号ＣＴ１−５がロウレベルの場合に、切替器２４から出力された第２周波数又は第３サブバンド信号を出力部３０に入力する。
【００２８】
出力部３０は、切替器２５の出力側に接続された出力端子であり、例えば制御部４０による制御に基づいて、複数のサブバンド信号のいずれか１つのサブバンド信号を出力する。すなわち、出力部３０は、サブバンド信号生成部２０−１により生成された第１周波数のサブバンド信号、サブバンド信号生成部２０−２により生成された第２周波数のサブバンド信号、及びサブバンド信号生成部２０−３により生成された第３周波数のサブバンド信号のいずれか１つのサブバンド信号を出力する。
【００２９】
制御部４０は、例えばＣＰＵにより構成され、切替器２４及び切替器２５のモードを選択することで、出力部３０が出力するサブバンド信号を選択するとともに、当該選択の結果に基づいて、複数のサブバンド信号生成部が有する複数の回路の動作モードを制御する。制御部４０は、外部からの設定情報を受け付ける入力ポートを備えており、選択するサブバンド信号を指示する設定情報を、入力ポートを介して取得し、取得した設定情報に基づいてサブバンド信号を選択する。
【００３０】
また、制御部４０は、サブバンド信号生成部２０−１、サブバンド信号生成部２０−２及びサブバンド信号生成部２０−３が有する能動素子及び切替器の動作モードを制御する制御信号を出力する出力ポートを備える。制御部４０は、例えば、記憶部５０に記憶されている後述の制御情報を参照して、選択するサブバンド信号に適した制御信号を出力する。
【００３１】
記憶部５０は、例えばＥＥＰＲＯＭのように、書込み／読出し可能な不揮発性メモリである。記憶部５０は、複数のサブバンド信号を特定する信号特定情報と、複数のサブバンド信号生成部の動作モードを示す動作モード情報とを関連付けた制御情報を記憶する。信号特定情報は、複数のサブバンド信号のそれぞれに割り当てられたテキスト情報である。動作モード情報は、サブバンド信号生成部２０−１、サブバンド信号生成部２０−２及びサブバンド信号生成部２０−３が有する能動素子及び切替器の動作モードを制御する制御信号の論理値を示す情報である。記憶部５０は、制御情報として、切替器制御テーブル及び能動素子制御テーブルを記憶している。
【００３２】
図２は、切替器制御テーブルの一例を示す図である。図３は、能動素子制御テーブルの一例を示す図である。
図２において、切替器制御テーブルは、信号特定情報として、サブバンド信号生成部２０−１が生成する第１周波数のサブバンド信号を示す「ＢＡＮＤ１」、サブバンド信号生成部２０−２が生成する第２周波数のサブバンド信号を示す「ＢＡＮＤ２」、及びサブバンド信号生成部２０−３が生成する第３周波数のサブバンド信号を示す「ＢＡＮＤ３」の３つの情報を有する。また、切替器制御テーブルは、切替器特定情報として、制御信号ＣＴ１−１〜ＣＴ１−５に対応する「１−１」〜「１−５」で示されるテキスト情報を有する。
【００３３】
切替器制御テーブルは、それぞれの信号特定情報及び切替器特定情報の組み合わせごとに、切替器を制御する制御信号の論理値を示すデータを有する。図２における「Ｈ」は、論理値がハイレベルであることを示し、「Ｌ」は、論理値がロウレベルであることを示す。制御部４０は、選択されたサブバンド信号に関連付けられた制御情報を読み出して、切替器２１２、切替器２２２、切替器２３３、切替器２４及び切替器２５を制御する。
【００３４】
同様に、図３において、能動素子制御テーブルは、信号特定情報として、「ＢＡＮＤ１」、「ＢＡＮＤ２」、及び「ＢＡＮＤ３」の３つの情報を有する。また、能動素子制御テーブルは、能動素子特定情報として、制御信号ＣＴ２−１〜ＣＴ２−３に対応する「２−１」〜「２−３」で示されるテキスト情報を有する。
【００３５】
能動素子制御テーブルは、それぞれの信号特定情報及び能動素子特定情報の組み合わせごとに、能動素子を制御する制御信号の論理値を示すデータを有する。図３における「Ｈ」は、論理値がハイレベルであることを示し、「Ｌ」は、論理値がロウレベルであることを示す。記憶部５０は、選択されたサブバンド信号に関連付けられた制御情報を読み出して、逓倍器２１１、増幅器２２１及び増幅器２３２を制御する。
【００３６】
図２及び図３を参照して、それぞれのサブバンド信号が選択された場合の切替器及び能動素子の動作モードについて説明する。
制御部４０が、サブバンド信号生成部２０−１により生成される第１サブバンド信号を選択する場合、制御部４０は、ＣＴ１−１、ＣＴ１−３及びＣＴ１−５をハイレベルにするとともに、ＣＴ１−２及びＣＴ１−４をロウレベルにする。また、制御部４０は、ＣＴ２−１をハイレベルにするとともに、ＣＴ２−２及びＣＴ２−３をロウレベルにする。
【００３７】
この場合、逓倍器２１１がイネーブルモードになり、逓倍器２１１において逓倍されて生成された第１サブバンド信号が、切替器２１２及び切替器２５を介して、出力部３０に入力される。ここで、増幅器２２１及び増幅器２３２はディセーブルモードになっているので、第２サブバンド信号及び第３サブバンド信号は増幅されない。また、切替器２２２は、出力側が終端抵抗を介してグランドに接続された状態になっている。したがって、出力部３０からは、第２サブバンド信号が出力されない。
【００３８】
ただし、第１サブバンド信号が選択された状態において、ＣＴ１−３がハイレベルなので、切替器２３３が、増幅器２３２と切替器２４とを接続するオンモードに設定されている。しかし、切替器２４が、切替器２２２を切替器２５に接続するモードに設定されているので、出力部３０からは、第３サブバンド信号が出力されない。
【００３９】
制御部４０が、サブバンド信号生成部２０−３により生成される第３サブバンド信号を選択する場合、制御部４０は、ＣＴ１−１及びＣＴ１−３をハイレベルにするとともに、ＣＴ１−２、ＣＴ１−４及びＣＴ１−５をロウレベルにする。また、制御部４０は、ＣＴ２−３をハイレベルにするとともに、ＣＴ２−１及びＣＴ２−２をロウレベルにする。
【００４０】
この場合、増幅器２３２がイネーブルモードになり、分周器２３１において分周されて生成された第３サブバンド信号が増幅器２３２で増幅され、切替器２３３、切替器２４及び切替器２５を介して、出力部３０に入力される。ここで、逓倍器２１１はディセーブルモードになっているので、第１サブバンド信号は生成されない。また、増幅器２２１はディセーブルモードになっているので、第２サブバンド信号は増幅されない。また、切替器２２２は、出力側が終端抵抗を介してグランドに接続されるオフモードになっている。
【００４１】
ただし、第３サブバンド信号が選択された状態においては、切替器２１２が、逓倍器２１１と切替器２５とを接続するオンモードに設定されている。しかし、切替器２５が、切替器２４を出力部３０に接続するモードに設定されているので、出力部３０からは、第１サブバンド信号が出力されない。
【００４２】
このように、出力部３０から出力する対象となるサブバンド信号を生成するサブバンド信号生成部以外のサブバンド信号生成部が有する切替器をオンモードに設定することは、例えば、サブバンド信号生成部２０−１の回路とサブバンド信号生成部２０−３の回路との距離が近く、グランドを介して、互いに干渉しやすい状態にある場合に有効である。
【００４３】
切替器２１２が、逓倍器２１１の出力側とグランドとを接続するオフモードになっている場合、逓倍器２１１で生成された第１サブバンド信号が、グランドを介してサブバンド信号生成部２０−３に回り込むことがある。これに対して、切替器２１２が、逓倍器２１１と切替器２５とを接続する状態に設定されていれば、第１サブバンド信号が、グランドを介してサブバンド信号生成部２０−３に回り込みにくくなるので、サブバンド信号生成部２０−３が出力する第３サブバンド信号に、第１サブバンド信号に起因するスプリアスノイズが含まれにくくなるのである。
【００４４】
このように、制御部４０は、選択したサブバンド信号を生成するサブバンド信号生成部が有する切替器をオンモードに設定するとともに、当該サブバンド信号生成部と異なる少なくとも１つのサブバンド信号生成部に設けられた切替器を、オンモードに設定することができる。また、制御部４０は、選択したサブバンド信号を生成するサブバンド信号生成部が有する能動素子を動作させるとともに、当該サブバンド信号生成部と異なる複数のサブバンド信号生成部に設けられた能動素子の動作を停止させる。このようにすることで、出力するサブバンド信号のスプリアス特性を改善することができる。
【００４５】
選択されるサブバンド信号に応じて、能動素子及び切替器をどの動作モードにするかは、サブバンド信号生成部２０−１、サブバンド信号生成部２０−２及びサブバンド信号生成部２０−３の回路配置によって異なる。そこで、選択されるサブバンド信号に応じた最適な動作モードは、発振器１の製造工程において試験され、試験した結果に基づいて決定された制御情報が、記憶部５０に格納される。
【００４６】
［発振器１の製造方法］
図４は、発振器１の製造方法を示すフローチャートである。
発振器１の製造工程においては、まず、複数のサブバンド信号からサブバンド信号を選択する第１選択工程を実行する（Ｓ１）。第１選択工程においては、発振器１を、製造用コンピュータに接続し、製造用コンピュータにおいて設定された値を制御部４０に入力することにより、サブバンド信号が選択される。
【００４７】
続いて、複数のサブバンド信号生成部が有する複数の回路の動作モードを選択する第２選択工程を実行する（Ｓ２）。第２選択工程においては、製造用コンピュータに、複数のサブバンド信号生成部が有する複数の能動素子及び複数の切替部の動作モードの組み合わせが表示される。製造用コンピュータにおいて選択された動作モードを示す値を制御部４０に入力することにより、動作モードが選択される。制御部４０は、複数のサブバンド信号生成部が有する複数の回路の状態を、選択された動作モードに設定する。
【００４８】
続いて、第１選択工程において選択したサブバンド信号を、第２選択工程において選択した動作モードにおいて出力部３０から出力させる出力工程を実行する（Ｓ３）。この出力工程において、出力部３０からサブバンド信号が出力される。
【００４９】
続いて、出力工程において出力されるサブバンド信号の特性を測定する測定工程を実行する（Ｓ４）。具体的には、発振器１の出力信号に要求されるスプリアス特性を測定し、測定結果を、選択されたサブバンド信号及び選択された動作モードに関連付けて記憶媒体に記憶させる。
【００５０】
Ｓ２の第２選択工程、Ｓ３の出力工程、及びＳ４の測定工程は、複数のサブバンド信号生成部が有する複数の回路の所定数の動作モード（例えば、全ての動作モード）に対して繰り返される。具体的には、所定の動作モードにおいて測定が終了したか否かが判定され（Ｓ５）、所定の動作モードにおける測定が終了していない場合は、Ｓ２に戻って、次の動作モードで測定が行われる。
【００５１】
所定の動作モードにおける測定が終了すると、測定工程において測定された特性に基づいて、最適な特性が得られた動作モードを決定する決定工程を実行する（Ｓ６）。最適な特性が得られた動作モードが決定されると、決定した動作モードを、サブバンド信号に関連付けて、発振器１が備える記憶部５０に記憶させる記憶工程を実行する（Ｓ７）。
【００５２】
続いて、全てのサブバンド信号に対して、Ｓ２からＳ７までの工程を実行したか否かを判定し（Ｓ８）、全てのサブバンド信号に対してＳ２からＳ７までの工程の実行が完了していない場合、Ｓ２からＳ７までの工程を繰り返す。
【００５３】
以上のとおり、本実施形態に係る発振器１によれば、制御部４０が、複数のサブバンド信号からサブバンド信号を選択するとともに、当該選択の結果に基づいて、複数のサブバンド信号生成部が有する複数の回路の動作モードを制御する。したがって、発振器１が出力するサブバンド信号に応じて、他のサブバンド信号生成部における信号経路を切り替えることができるので、他のサブバンド信号が回り込むことを防止し、スプリアス特性を改善することができる。
【００５４】
＜第２の実施形態＞
図５は、第２の実施形態に係る発振器１の構成を示す図である。図５に示した発振器１は、複数の発振源を備え、８つのサブバンド信号生成部により、合計８つのサブバンド信号を出力することができる。制御部４０は、複数の発振源と出力部３０との間に設けられた複数の能動素子及び切替器の動作モードを制御する。図５において、ＡＭＰは増幅器、ＡＴＴは減衰器、ＣＰＬは分配器、ＤＢＬは逓倍器、ＤＩＶは分周器、ＬＰＦは低域通過フィルタ、ＨＰＦは広域通過フィルタ、ＳＷは切替器を示す。
【００５５】
図６は、切替器制御テーブルの一例を示す図である。図７は、能動素子制御テーブルの一例を示す図である。
図７の能動素子制御テーブルによれば、出力することが選択されたサブバンド信号を生成する経路上の能動素子はイネーブルモードに設定され、他のサブバンド信号を生成する経路上の能動素子はディセーブルモードに設定されることがわかる。また、図６の切替器制御テーブルによれば、出力することが選択されたサブバンド信号を生成する経路上の切替器はオンモードに設定され、他のサブバンド信号を生成する経路上の切替器は、選択されたサブバンド信号に基づいて、オンモードであるかオフモードであるかが切り替えられる設定になっていることがわかる。なお、減衰器がディセーブルモードに設定された場合、減衰器は減衰量が最大に設定される。
【００５６】
以上のとおり、本発明は、任意の数のサブバンド信号を出力する発振器に適用することができるとともに、サブバンド信号を生成する回路の構成にも限定されない。
【００５７】
＜第３の実施形態＞
以上の説明においては、複数のサブバンド信号生成部が生成するサブバンド信号の周波数が、予め定められているものとして説明した。しかし、制御部４０が、複数のサブバンド信号生成部２０が出力するサブバンド信号の周波数を決定するとともに、決定されたサブバンド信号の周波数に基づいて、複数のサブバンド信号生成部２０が有する複数の回路の動作モードを制御してもよい。
【００５８】
すなわち、制御部４０は、それぞれのサブバンド信号生成部２０が生成できる周波数帯域内において、それぞれのサブバンド信号生成部２０が出力するサブバンド信号の周波数を切り替え、それぞれの周波数のサブバンド信号ごとに、他のサブバンド信号生成部２０が有する能動素子及び切替部の動作モードを切り替える。この場合、記憶部５０は、複数のサブバンド信号生成部２０が生成するサブバンド信号の周波数に関連付けて、能動素子及び切替部の動作モードを示す制御情報を記憶し、制御部４０は、制御部４０に記憶された制御情報に基づいて、複数のサブバンド信号生成部２０を制御する。
【００５９】
＜実施例＞
図８Ａ及び図８Ｂは、１７ＧＨｚのサブバンド信号を出力させる場合の出力信号の特性を示す図である。横軸は周波数を示し、縦軸は出力パワーを示している。当該サブバンド信号を生成するサブバンド信号生成部が有する増幅器をイネーブル状態にした場合と、ディセーブル状態にした場合のそれぞれの特性を示している。
【００６０】
図８Ａは、本発明を実施しない場合の特性を示しており、１７ＧＨｚのサブバンド信号を生成するサブバンド信号生成部以外のサブバンド信号生成部の切替部をオフモードに設定した状態で測定したものである。図８Ｂは、本発明を実施した場合の特性を示しており、１７ＧＨｚのサブバンド信号を生成するサブバンド信号生成部以外の所定のサブバンド信号生成部の切替部をオンモードに設定した状態で測定したものである。
【００６１】
図８Ａにおいては、所望のサブバンド信号を生成するサブバンド信号生成部が有する増幅器をオフにした状態でも、１７ＧＨｚの信号が出力されており、オンオフ時のパワーの差は５３．０ｄＢｃであった。この信号は、他のサブバンド信号生成部から回り込んだスプリアス成分であると考えられる。
これに対して、図８Ｂにおいては、所望のサブバンド信号を生成するサブバンド信号生成部が有する増幅器をオフにした状態では１７ＧＨｚの信号が出力されておらず、オンオフ時のパワーの差は６８．２ｄＢｃに改善しており、他のサブバンド信号生成部からスプリアス成分が回り込んでいないことがわかる。
【００６２】
図９Ａ及び図９Ｂは、図８Ａ及び図８Ｂの周波数レンジを広くした図である。
図９Ａは、本発明を実施しない場合の特性を示しており、所望の周波数と異なる周波数にスプリアス成分が現れていることがわかる。所望のサブバンド信号のパワーとスプリアスノイズのパワーとの差は、３２．８ｄＢｃであった。
【００６３】
図９Ｂは、本発明を実施した場合の特性を示しており、図９Ａにおいて見られたスプリアス信号が見られず、図９Ａにおいて所望のサブバンド信号のパワーとスプリアス成分のパワーとの差が３２．８ｄＢｃであった周波数において、所望のサブバンド信号のパワーとスプリアス成分のパワーとの差が、６０．２ｄＢｃに改善していることがわかる。
【００６４】
以上の実施例により、本発明を実施することで、スプリアス成分が抑制されたサブバンド信号を生成できることが確認された。
【００６５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００６６】
１  発振器
１０  発振部
１１  分配器
１２  分配器
２０  サブバンド信号生成部
２４  切替器
２５  切替器
３０  出力部
４０  制御部
５０  記憶部
２１１  逓倍器
２１２  切替器
２２１  増幅器
２２２  切替器
２３１  分周器
２３２  増幅器
２３３  切替器
【図１】
2015053577.tif 000003
【図２】
2015053577.tif 000004
【図３】
2015053577.tif 000005
【図４】
2015053577.tif 000006
【図５】
2015053577.tif 000007
【図６】
2015053577.tif 000008
【図７】
2015053577.tif 000009
【図８Ａ】
2015053577.tif 000010
【図８Ｂ】
2015053577.tif 000011
【図９Ａ】
2015053577.tif 000012
【図９Ｂ】
2015053577.tif 000013